(57)【特許請求の範囲】
【請求項１】
タッチパネルを備え、前記タッチパネルに表示された画面画像を示す画面画像情報を取得する画面取得装置であって、
前記画面画像情報を記憶する操作画面記憶部と、
前記タッチパネルに表示される前記画面画像が変化する度に、前記タッチパネルに表示された前記画面画像を示す画面画像情報を取得する画面情報取得部と、
ユーザーからの操作の内容を示す操作画像を前記画面画像に付加して、画面操作画像を生成する画面操作生成部と、
前記画面操作画像に対応する画面操作画像情報を、前記操作画面記憶部に記録する画面記録部と、
ユーザーからの操作に基づいて、前記画面画像が、その画面画像が表示される直前に表示された画面画像に遷移したことを検出する後退検出部と
を備え、
前記画面情報取得部は、前記後退検出部が前記直前に表示された画面画像に遷移したことを検出したときに、前記画面画像情報を取得しない、画面取得装置。
【請求項２】
ユーザーからの操作を受け付ける操作受付部を更に備え、
前記操作受付部は、ユーザーからの操作を受け付ける度に、ユーザーからの操作の内容を示す操作情報を生成し、
前記画面操作生成部は、前記操作情報に対応する操作画像を生成する、請求項１に記載の画面取得装置。
【請求項３】
前記タッチパネルには、ユーザーによって操作されるボタンが表示されており、
前記操作受付部は、前記操作情報として、ユーザーによって操作された前記ボタンを示すボタン識別情報と前記タッチパネルに対する前記操作の種類を示す操作種類情報とを生成し、
前記画面操作生成部は、前記ボタン識別情報及び前記操作種類情報に基づいて、前記操作画像を生成する、請求項２に記載の画面取得装置。
【請求項４】
前記操作種類情報と前記操作画像とを対応付けて記憶する操作画像記憶部を更に備え、
前記画面操作生成部は、前記操作種類情報に対応する前記操作画像を前記操作画像記憶部から読み出して、前記画面画像において前記ボタン識別情報に対応するボタンが配置された位置に、前記操作画像を配置して、前記操作画像を生成する、請求項３に記載の画面取得装置。
【請求項５】
前記画面画像には、画面を識別する画面識別情報が付与されており、
前記画面記録部は、前記画面操作画像に対応する画面操作画像情報を、前記画面識別情報、前記ボタン識別情報及び前記操作種類情報と対応付けて、前記操作画面記憶部に記録する、請求項３又は請求項４に記載の画面取得装置。
【請求項６】
タッチパネルに表示された画面画像を示す画面画像情報を取得して、操作画面記憶部に記録する画面取得方法であって、
前記タッチパネルに表示される前記画面画像が変化する度に、前記タッチパネルに表示された前記画面画像を示す画面画像情報を取得する画面情報取得工程と、
ユーザーからの操作を示す操作画像を前記画面画像に付加して、画面操作画像を生成する画面操作生成工程と、
前記画面操作画像に対応する画面操作画像情報を、前記操作画面記憶部に記録する画面記録工程と、
ユーザーからの操作に基づいて、前記画面画像が、その画面画像が表示される直前に表示された画面画像に遷移したことを検出する後退検出工程と
を含み、
前記直前に表示された画面画像に遷移したことを前記後退検出工程において検出したときに、前記画面情報取得工程において、前記画面画像情報を取得しない、画面取得方法。
【請求項７】
タッチパネルに表示された画面画像を示す画面画像情報を取得する画面取得プログラムであって、コンピューターを、
前記画面画像情報を記憶する操作画面記憶部と、
前記タッチパネルに表示される前記画面画像が変化する度に、前記タッチパネルに表示された前記画面画像を示す画面画像情報を取得する画面情報取得部と、
ユーザーからの操作を示す操作画像を前記画面画像に付加して、画面操作画像を生成する画面操作生成部と、
前記画面操作画像に対応する画面操作画像情報を、前記操作画面記憶部に記録する画面記録部と、
ユーザーからの操作に基づいて、前記画面画像が、その画面画像が表示される直前に表示された画面画像に遷移したことを検出する後退検出部と
して機能させ、
前記画面情報取得部は、前記後退検出部が前記直前に表示された画面画像に遷移したことを検出したときに、前記画面画像情報を取得しない、画面取得プログラム。
【発明の詳細な説明】
【技術分野】
【０００１】
本発明は、モニターに表示された画面画像に対応する画面画像情報を取得する画面取得装置、画面取得方法、及び、画面取得プログラムに関する。
【背景技術】
【０００２】
従来、モニターに表示された画面画像に対応する画面画像情報を取得する画面取得装置が知られている。
【０００３】
例えば、操作手順書を自動生成する装置が開示されている（特許文献１参照）。特許文献１に記載の装置は、アプリケーションへの操作イベントが発生する度に、アプリケーションの表示画面データを取得する。また、遷移レベルを示す番号と対応付けてアプリケーションの表示画面データを記録する。更に、操作手順書を作成する際に、遷移レベルが同一である表示画面データが複数存在する場合には、複数の表示画面データのうちのいずれか１つを遷移レベルに対応する表示画面データとして採用する。
【０００４】
上記操作手順書の自動生成装置によれば、操作手順書を簡単に作成することができると記載されている。
【先行技術文献】
【特許文献】
【０００５】
【特許文献１】特開２００７−１１５３２号公報
【発明の概要】
【発明が解決しようとする課題】
【０００６】
しかしながら、特許文献１に記載の操作手順書の自動生成装置では、遷移レベルを示す番号と対応付けて表示画面データが記録されているため、操作手順書の作成に用いる表示画面データを容易に取得することができるに過ぎない。換言すれば、遷移レベルを示す番号と対応付けた表示画面データから、操作手順書のような文書を作成することは容易ではない。
【０００７】
本発明は、上記課題に鑑みてなされたものであり、操作手順書のような文書を容易に作成することの可能な画面取得装置、画面取得方法、及び、画面取得プログラムを提供することを目的としている。
【課題を解決するための手段】
【０００８】
本発明の画面取得装置は、モニターに表示された画面画像を示す画面画像情報を取得する画面取得装置であって、操作画面記憶部、画面情報取得部、画面操作生成部、及び、画面記録部を備える。前記操作画面記憶部は、前記画面画像情報を記憶する。前記画面情報取得部は、前記モニターに表示される前記画面画像が変化する度に、前記モニターに表示された前記画面画像を示す画面画像情報を取得する。前記画面操作生成部は、ユーザーからの操作の内容を示す操作画像を前記画面画像に付加して、画面操作画像を生成する。前記画面記録部は、前記画面操作画像に対応する画面操作画像情報を、前記操作画面記憶部に記録する。
【０００９】
本発明の画面取得方法は、モニターに表示された画面画像を示す画面画像情報を取得して、操作画面記憶部に記録する画面取得方法であって、画面情報取得工程、画面操作生成工程、及び、画面記録工程を含む。前記画面情報取得工程において、前記モニターに表示される前記画面画像が変化する度に、前記モニターに表示された前記画面画像を示す画面画像情報を取得する。前記画面操作生成工程において、ユーザーからの操作を示す操作画像を前記画面画像に付加して、画面操作画像を生成する。前記画面記録工程において、前記画面操作画像に対応する画面操作画像情報を、前記操作画面記憶部に記録する。
【００１０】
本発明の画面取得プログラムは、モニターに表示された画面画像を示す画面画像情報を取得する画面取得プログラムであって、コンピューターを、操作画面記憶部、画面情報取得部、画面操作生成部、及び、画面記録部して機能させる。前記操作画面記憶部は、前記画面画像情報を記憶する。前記画面情報取得部は、前記モニターに表示される前記画面画像が変化する度に、前記モニターに表示された前記画面画像を示す画面画像情報を取得する。前記画面操作生成部は、ユーザーからの操作を示す操作画像を前記画面画像に付加して、画面操作画像を生成する。前記画面記録部は、前記画面操作画像に対応する画面操作画像情報を、前記操作画面記憶部に記録する。
【発明の効果】
【００１１】
本発明の画面取得装置、画面取得方法、及び、画面取得プログラムによれば、操作手順書のような文書を容易に作成することができる。
【図面の簡単な説明】
【００１２】
【図１】本発明の実施形態に係る画面取得装置の構成を示す図である。
【図２】図１に示す制御部の構成を示す図である。
【図３】図２に示す操作画像記憶部に記憶された操作画像を示す図表である。
【図４】図３に示す操作画像を設定する操作画像設定画面を示す画面図である。
【図５】図２に示す画面表示部が表示するコピー条件設定画面を示す画面図である。
【図６】図５に示す用紙選択ボタンがタップされた場合に画面操作生成部が生成する画面操作画像の一例を示す画面図である。
【図７】図５に示す用紙選択ボタンがタップされた場合に画面操作生成部が生成する画面操作画像の他の一例を示す画面図である。
【図８】図２に示す画面表示部が表示するコピー条件設定画面を示す画面図である。
【図９】図８に示す用紙選択ボタンから濃度設定ボタンまでスワイプされた場合に画面操作生成部が生成する画面操作画像を示す画面図である。
【図１０】図２に示す画面表示部が表示するコピー条件設定画面を示す画面図である。
【図１１】図１０に示す用紙選択ボタンがダブルタップされた場合に画面操作生成部が生成する画面操作画像の一例を示す画面図である。
【図１２】図２に示す画面表示部が表示する用紙設定画面を示す画面図である。
【図１３】図２に示す制御部の動作を示すフローチャートである。
【図１４】図２に示す制御部の動作を示すフローチャートである。
【発明を実施するための形態】
【００１３】
以下、本発明の実施形態について、図面（図１〜図１４）を参照しながら説明する。なお、図中、同一又は相当部分については同一の参照符号を付して説明を繰り返さない。
【００１４】
まず、図１を参照して、本実施形態に係る画像形成装置１００について説明する。図１は、本実施形態に係る画像形成装置１００の構成を示す図である。本実施形態において、画像形成装置１００は、複合機（ＭＦＰ：Ｍｕｌｔｉ  Ｆｕｎｃｔｉｏｎ  Ｐｅｒｉｐｈｅｒａｌ）である。画像形成装置１００は、スキャナー、複写機、プリンター、及び、ファクシミリの各機能を有する。画像形成装置１００は、画像形成ユニット１、画像読取ユニット２、原稿搬送ユニット３、操作パネル４、及び、制御部５を備える。また、画像形成装置１００は、パーソナルコンピューター２００と通信可能に接続されている。画像形成装置１００は、「画面取得装置」の一例に相当する。
【００１５】
画像形成ユニット１は、用紙Ｐに画像を形成する。画像読取ユニット２は、原稿Ｒ上に形成された画像を読み取る。原稿搬送ユニット３は、読み取り対象の原稿Ｒを搬送する。操作パネル４は、タッチパネル４１を備え、画像形成装置１００に対するユーザーからの操作を受け付ける。制御部５は、画像形成装置１００の動作を制御する。タッチパネル４１は、「モニター」の一例に相当する。
【００１６】
画像形成ユニット１は、給紙カセット１１、給紙ローラー１２、搬送ローラー対１３、レジストローラー対１４、画像形成部１５、定着器１６、排出ローラー対１７、及び、排出トレイ１８を備える。給紙ローラー１２は、給紙カセット１１から用紙Ｐを１枚ずつ繰り出す。給紙ローラー１２によって繰り出された用紙Ｐは、搬送ローラー対１３及びレジストローラー対１４によって画像形成部１５まで搬送される。
【００１７】
画像形成部１５は、給紙カセット１１から搬送されてきた用紙Ｐに画像を形成する。画像形成部１５は、感光体ドラム１５１、帯電部１５２、露光部１５３、現像部１５４、転写ローラー１５５、及び、クリーニング部１５６を備える。感光体ドラム１５１は、円筒形の回転体であり、その周面には、静電潜像が形成される。帯電部１５２は、感光体ドラム１５１を所定の電位に帯電させる。露光部１５３は、画像データに基づきレーザー光を照射して感光体ドラム１５１の周面を露光する。その結果、画像データに応じた静電潜像が感光体ドラム１５１の周面に形成される。なお、画像データとしては、例えば、画像読取ユニット２が原稿Ｒを読み取って生成された画像データ、又は、通信ネットワークを介して外部のパーソナルコンピューター２００から受信した画像データが用いられる。画像形成部１５によって画像が形成された用紙Ｐは、定着器１６まで搬送される。
【００１８】
現像部１５４は、感光体ドラム１５１の周面に形成された静電潜像にトナーを供給して現像し、感光体ドラム１５１の周面にトナー像を形成する。転写ローラー１５５は、感光体ドラム１５１上のトナー像を用紙Ｐに転写する。クリーニング部１５６は、転写後に感光体ドラム１５１の周面に残留している残留トナーを除去する。
【００１９】
定着器１６は、用紙Ｐに形成された画像を用紙Ｐに熱定着する。定着器１６は、加熱ローラーと、加圧ローラーとを備える。加熱ローラーは、発熱体を内蔵する。加熱ローラー及び加圧ローラーは、両者が圧接されることによって、定着ニップ部を形成する。用紙Ｐが定着ニップ部を通過することによって、用紙Ｐの表面に付着したトナーが溶融及び加熱される。その結果、トナー像が用紙Ｐに定着される。トナー像が定着された用紙Ｐは、排出ローラー対１７によって排出トレイ１８へ排出される。
【００２０】
次に、図２を参照して、制御部５の構成について説明する。制御部５は、ＣＰＵ（Ｃｅｎｔｒａｌ  Ｐｒｏｃｅｓｓｉｎｇ  Ｕｎｉｔ）及びメモリーを備える。制御部５は、「コンピューター」に相当する。メモリーには、「画面取得プログラム」を含む制御プログラムが記憶される。ＣＰＵは、制御プログラムを実行することによって、各種機能部として機能する。また、ＣＰＵは、制御プログラムを実行することによって、メモリーを各種機能部として機能させる。その結果、制御部５の各種機能部は、画像形成装置１００の動作を制御する。また、制御部５は、操作受付部５１１、画面表示部５１２、画面情報取得部５１３、後退検出部５１４、画面操作生成部５１５、画面記録部５１６、表示画面記憶部５２１、操作画像記憶部５２２、及び、操作画面記憶部５２３を備える。換言すれば、「画面取得プログラム」は、制御部５を、操作受付部５１１、画面表示部５１２、画面情報取得部５１３、後退検出部５１４、画面操作生成部５１５、画面記録部５１６、表示画面記憶部５２１、操作画像記憶部５２２、及び、操作画面記憶部５２３として機能させる。
【００２１】
表示画面記憶部５２１は、タッチパネル４１に表示する画面画像ＳＣに対応する画面画像情報ＳＣＤを予め記憶する。表示画面記憶部５２１に記憶された画面画像情報ＳＣＤは、画面表示部５１２によって読み出される。また、画面画像情報ＳＣＤには、画面画像ＳＣを識別する画面識別情報ＩＤＳが付与されている。
【００２２】
操作画像記憶部５２２は、操作種類情報ＰＫＤと操作画像ＰＪとを対応付けて記憶する。操作種類情報ＰＫＤは、タッチパネル４１に対するユーザーによる操作の種類を示す。操作画像ＰＪは、ユーザーからの操作の内容を示す操作情報ＰＤに対応する。また操作画像記憶部５２２に記憶された操作画像ＰＪは、画面操作生成部５１５によって読み出される。
【００２３】
操作画面記憶部５２３は、画面操作生成部５１５によって生成された画面操作画像ＳＰに対応する画面操作画像情報ＳＰＤを記憶する。具体的には、操作画面記憶部５２３は、画面操作画像情報ＳＰＤを、画面識別情報ＩＤＳ、ボタン識別情報ＩＤＢ及び操作種類情報ＰＫＤと対応付けて記憶する。具体的には、操作画面記憶部５２３は、画面操作画像情報ＳＰＤを、ファイル形式で記憶する。また、画面操作画像情報ＳＰＤが記憶されるファイルのファイル名は、画面識別情報ＩＤＳ、ボタン識別情報ＩＤＢ及び操作種類情報ＰＫＤを含む。画面操作画像情報ＳＰＤは、画面記録部５１６によって操作画面記憶部５２３に書き込まれる。
【００２４】
また、操作画面記憶部５２３に記憶された画面操作画像情報ＳＰＤは、パーソナルコンピューター２００によって読み出される。ユーザーは、パーソナルコンピューター２００を操作して、画面操作画像情報ＳＰＤに基づいて、操作手順書のような文書を作成する。画面操作画像情報ＳＰＤが記憶されるファイルのファイル名は、画面識別情報ＩＤＳ、ボタン識別情報ＩＤＢ及び操作種類情報ＰＫＤを含むため、ユーザーは、所望する画面操作画像情報ＳＰＤを容易に読み出すことができる。
【００２５】
操作受付部５１１は、ユーザーからの操作を受け付ける。また、操作受付部５１１は、ユーザーからの操作を受け付ける度に、ユーザーからの操作の内容を示す操作情報ＰＤを生成する。具体的には、タッチパネル４１には、複数のボタンＢＴが表示される。そして、操作受付部５１１は、操作情報ＰＤとして、ボタン識別情報ＩＤＢと操作種類情報ＰＫＤとを生成する。ボタン識別情報ＩＤＢは、ユーザーによって操作されたボタンＢＴを示す。操作種類情報ＰＫＤは、タッチパネル４１に表示されたボタンＢＴに対するユーザーによる操作の種類を示す。具体的には、操作の種類としては、タップ、ダブルタップ、及び、スワイプを含む。
【００２６】
画面表示部５１２は、ユーザーからの操作に基づいて、タッチパネル４１に表示する画面画像ＳＣを変更する。具体的には、タッチパネル４１には、複数のボタンＢＴが表示される。換言すれば、画面画像ＳＣは、複数のボタンＢＴを含む。そして、タッチパネル４１に表示された複数のボタンＢＴのうち、ユーザーによって操作されたボタンＢＴに対応する画面画像ＳＣをタッチパネル４１に表示する。また、画面表示部５１２は、タッチパネル４１に表示する画面画像ＳＣに対応する画面画像情報ＳＣＤを、表示画面記憶部５２１から読み出す。
【００２７】
画面情報取得部５１３は、ユーザーからの操作に基づいてタッチパネル４１に表示される画面画像ＳＣが変化する度に、タッチパネル４１に表示された画面画像ＳＣに対応する画面画像情報ＳＣＤを取得する。具体的には、画面情報取得部５１３は、例えば、スクリーンショット機能によってキャプチャー画像を生成し、キャプチャー画像の画像情報を画面画像情報ＳＣＤとして取得する。ただし、後退検出部５１４が、直前に表示された画面画像ＳＣに遷移することを検出した場合には、画面情報取得部５１３は、タッチパネル４１に表示された画面画像ＳＣに対応する画面画像情報ＳＣＤを取得しない。
【００２８】
後退検出部５１４は、ユーザーからの操作に基づいて、画面画像ＳＣが、その画面画像が表示される直前に表示された画面画像ＳＣに遷移することを検出する。具体的には、例えば、ユーザーからの操作に基づいて、画面画像ＳＣ１が別の画面画像ＳＣ２に遷移する。次に、ユーザーからの操作に基づいて、画面画像ＳＣ２が別の画面画像ＳＣ３に遷移する。画面画像ＳＣ３が画面画像ＳＣ１と同一の画面画像ＳＣである場合には、画面画像ＳＣ２から画面画像ＳＣ３に遷移するときに、後退検出部５１４は、直前に表示された画面画像ＳＣ１に遷移することを検出する。換言すれば、後退検出部５１４は、画面画像ＳＣが、画面画像ＳＣの階層が１つ上の画面画像ＳＣに遷移することを検出する。
【００２９】
画面操作生成部５１５は、ユーザーからの操作の内容を示す操作画像ＰＪを画面画像ＳＣに付加して、画面操作画像ＳＰを生成する。具体的には、操作の内容を示す操作情報ＰＤは、ボタン識別情報ＩＤＢ及び操作種類情報ＰＫＤを含む。ボタン識別情報ＩＤＢは、ユーザーによって操作されたボタンＢＴを示す。操作種類情報ＰＫＤは、タッチパネル４１に表示されたボタンＢＴに対するユーザーによる操作の種類を示す。画面操作生成部５１５は、ボタン識別情報ＩＤＢ及び操作種類情報ＰＫＤに基づいて、操作画像ＰＪを生成する。
【００３０】
更に具体的には、画面操作生成部５１５は、操作種類情報ＰＫＤに対応する操作画像ＰＪを操作画像記憶部５２２から読み出して、操作画像ＰＪを生成する。また、画面操作生成部５１５は、画面画像ＳＣにおいてボタン識別情報ＩＤＢに対応するボタンＢＴが配置された位置に操作画像ＰＪを配置して画面操作画像ＳＰを生成する。ただし、後退検出部５１４が、直前に表示された画面画像ＳＣに遷移することを検出した場合には、画面操作画像ＳＰを生成しない。
【００３１】
画面記録部５１６は、画面操作画像ＳＰに対応する画面操作画像情報ＳＰＤを、操作画面記憶部５２３に記録する。具体的には、画面記録部５１６は、画面操作画像ＳＰに対応する画面操作画像情報ＳＰＤを、画面識別情報ＩＤＳ、ボタン識別情報ＩＤＢ及び操作種類情報ＰＫＤと対応付けて、操作画面記憶部５２３に記録する。例えば、画面記録部５１６は、画面識別情報ＩＤＳ、ボタン識別情報ＩＤＢ及び操作種類情報ＰＫＤを含むファイル名で、画面操作画像情報ＳＰＤをファイル形式で操作画面記憶部５２３に記録する。
【００３２】
次に、図３を参照して操作画像記憶部５２２に記憶された操作画像ＰＪについて説明する。図３は、操作画像記憶部５２２に記憶された操作画像ＰＪを示す図表である。左欄は、操作の種類を示す識別情報（操作識別情報ＩＤＰ）である。中央欄は、操作の種類を示す操作名称である。右欄は、操作画像ＰＪである。操作画像ＰＪは、操作識別情報ＩＤＰに対応付けて、操作画像記憶部５２２に記憶されている。
【００３３】
例えば、タップに対応する操作識別情報ＩＤＰは、「ＴＡ１」である。また、タップを示す操作画像ＰＪは、楕円状の図形である。また、例えば、ダブルタップに対応する操作識別情報ＩＤＰは、「ＴＡ２」である。また、ダブルタップを示す操作画像ＰＪは、２重の楕円状の図形である。更に、例えば、右向きのスワイプに対応する操作識別情報ＩＤＰは、「ＳＷ」である。また、右向きのスワイプを示す操作画像ＰＪは、右向きの矢印の図形である。
【００３４】
次に、図４を参照して、ユーザーが操作画像ＰＪを設定する場合に、タッチパネル４１に表示する操作画像設定画面について説明する。図４は、操作画像ＰＪを設定する操作画像設定画面５５０を示す画面図である。操作画像設定画面５５０には、操作識別情報表示部５５１、操作名称表示部５５２、操作画像表示部５５３、及び、操作画像候補表示部５５４が表示される。操作画像設定画面５５０には、更に、決定ボタン５５５、キャンセルボタン５５６、及び、戻るボタン５５７が表示される。
【００３５】
操作識別情報表示部５５１は、操作識別情報ＩＤＰ（図４では、操作ＩＤと略記する）を表示する。操作名称表示部５５２は、操作識別情報ＩＤＰに対応する操作名称を表示する。操作画像表示部５５３は、操作識別情報ＩＤＰに対応する操作画像ＰＪを表示する。操作画像ＰＪとしては、楕円状の図形が表示されている。
【００３６】
操作画像候補表示部５５４は、操作画像ＰＪの候補画像５５４ａ〜５５４ｆ及び選択マーク５５４ｇを表示する。候補画像５５４ａは、円形の画像である。候補画像５５４ｂは、三角形の画像である。候補画像５５４ｃは、四角形の画像である。候補画像５５４ｄは、人差し指でタップするような左手の形の画像である。候補画像５５４ｅは、人差し指でタップするような右手の形の画像である。候補画像５５４ｆは、人差し指のような指の形の画像である。
【００３７】
選択マーク５５４ｇは、操作画像ＰＪの候補画像５５４ａ〜５５４ｆのうち、ユーザーによって選択されている画像を示す。例えば、タッチパネル４１に表示された候補画像５５４ａ〜５５４ｆのうち、候補画像５５４ｄがユーザーによって選択された場合には、候補画像５５４ｄの背景が選択状態を示す特定の色（例えば、赤色）で表示される。図４では、便宜上、候補画像５５４ｄの背景が選択状態を示す特定の色で表示されていることを、斜線を施して示している。
【００３８】
決定ボタン５５５は、選択状態にされている操作画像ＰＪの候補（例えば、候補画像５５４ｄ）を操作画像ＰＪに設定する場合に、ユーザーによってタッチされる。決定ボタン５５５がタッチされると、候補画像５５４ｄと、操作画像表示部５５３に表示された操作画像ＰＪとが入れ換えて表示される。
【００３９】
キャンセルボタン５５６は、選択状態をキャンセルする場合に、ユーザーによってタッチされる。キャンセルボタン５５６がタッチされると、候補画像５５４ｄの選択状態が解除される。選択状態が解除されると、選択マーク５５４ｇが消去される。戻るボタン５５７は、前の画面に戻る場合に、ユーザーによってタッチされる。
【００４０】
ユーザーは、タッチパネル４１に表示された操作画像設定画面５５０を操作して、操作識別情報表示部５５１に表示された操作識別情報ＩＤＰに対応する操作画像ＰＪを設定及び変更することができる。
【００４１】
次に、図５〜図１１を参照して、図２に示す制御部５の機能について具体的に説明する。まず、図５〜図７を参照して、ボタンＢＴがタップされる場合について説明する。図５は、画面表示部５１２が表示するコピー条件設定画面６００を示す画面図である。コピー条件設定画面６００には、用紙選択ボタン６０１、拡大縮小ボタン６０２、濃度設定ボタン６０３、両面分割設定ボタン６０４、ページ集約設定ボタン６０５、ソート設定ボタン６０６、機能一覧ボタン６０７、及び、お気に入りボタン６０８が表示されている。
【００４２】
用紙選択ボタン６０１は、用紙Ｐのサイズを選択する場合に、ユーザーによって操作される。拡大縮小ボタン６０２は、原稿Ｒに形成された画像を拡大又は縮小する場合に、ユーザーによって操作される。濃度設定ボタン６０３は、コピー濃度を設定する場合に、ユーザーによって操作される。両面分割設定ボタン６０４は、両面（又は片面）の設定及び分割（又は結合）の設定を行う場合に、ユーザーによって操作される。ページ集約設定ボタン６０５は、「２ｉｎ１」のようなページ集約の条件を設定する場合に、ユーザーによって操作される。ソート設定ボタン６０６は、ソート有無のような仕分け条件を設定する場合に、ユーザーによって操作される。機能一覧ボタン６０７は、各種の機能を説明する機能一覧画面をタッチパネル４１に表示する場合に、ユーザーによって操作される。お気に入りボタン６０８は、ユーザーが使用する頻度が高いボタンをタッチパネル４１に表示する場合に、ユーザーによって操作される。
【００４３】
また、図５に示すように、ユーザーの手Ｈ１の指（例えば、人差し指）によって、用紙選択ボタン６０１がタップされる。この操作に応じて、画面操作生成部５１５は、図６に示す画面操作画像６１０を生成する。なお、手Ｈ１は、タッチパネル４１に表示されない。
【００４４】
次に、図６を参照して、画面操作画像６１０について説明する。図６は、用紙選択ボタン６０１がタップされた場合に画面操作生成部５１５が生成する画面操作画像６１０の一例を示す画面図である。画面情報取得部５１３は、コピー条件設定画面６００がタッチパネル４１に表示されたときに、コピー条件設定画面６００の画面画像ＳＣに対応する画面画像情報ＳＣＤを取得する。そして、ユーザーの手Ｈ１の指（例えば、人差し指）によって、コピー条件設定画面６００の用紙選択ボタン６０１がタップされると、画面操作生成部５１５が以下の処理を行う。
【００４５】
まず、タップに対応する操作画像ＰＪを操作画像記憶部５２２から読み出して、操作画像ＰＪを生成する。図６に示す形態では、タップに対応する操作画像ＰＪは、楕円状の図形である。次に、コピー条件設定画面６００の画面画像ＳＣにおいてタップされた用紙選択ボタン６０１が配置された位置に操作画像６１１を配置して画面操作画像６１０を生成する。換言すれば、画面操作画像６１０は、コピー条件設定画面６００に対応する画面画像ＳＣと、操作画像６１１とを合成して生成される。なお、操作画像６１１は、コピー条件設定画面６００の用紙選択ボタン６０１が配置された位置に合成される。
【００４６】
次に、図７を参照して、タップに対応する操作画像ＰＪが、人差し指でタップするような左手の形の画像（図４に示す候補画像５５４ｄ）である場合について説明する。画面情報取得部５１３は、コピー条件設定画面６００がタッチパネル４１に表示されたときに、コピー条件設定画面６００の画面画像ＳＣに対応する画面画像情報ＳＣＤを取得する。そして、ユーザーの手Ｈ１の指（例えば、人差し指）によって、コピー条件設定画面６００の用紙選択ボタン６０１がタップされると、画面操作生成部５１５が以下の処理を行う。
【００４７】
まず、タップに対応する操作画像ＰＪ（左手の形の画像）を操作画像記憶部５２２から読み出して、操作画像ＰＪを生成する。次に、コピー条件設定画面６００の画面画像ＳＣにおいてタップされた用紙選択ボタン６０１が配置された位置に操作画像６２１を配置して画面操作画像６２０を生成する。換言すれば、画面操作画像６２０は、コピー条件設定画面６００に対応する画面画像ＳＣと、操作画像６２１を合成して生成される。なお、操作画像６２１は、コピー条件設定画面６００の用紙選択ボタン６０１が配置された位置に合成される。
【００４８】
次に、図８及び図９を参照して、ボタンＢＴがスワイプされる場合について説明する。図８は、画面表示部５１２が表示するコピー条件設定画面６３０を示す画面図である。コピー条件設定画面６３０は、図５に示すコピー条件設定画面６００と同一の画面である。コピー条件設定画面６３０には、用紙選択ボタン６３１、拡大縮小ボタン６３２、濃度設定ボタン６３３、両面分割設定ボタン６３４、ページ集約設定ボタン６３５、ソート設定ボタン６３６、機能一覧ボタン６３７、及び、お気に入りボタン６３８が表示されている。
【００４９】
また、図８に示すように、ユーザーの手Ｈ２１の指（例えば、人差し指）によって、用紙選択ボタン６３１から濃度設定ボタン６３３までスワイプされる。矢印ＡＲは、ユーザーの手Ｈ２１の指の動きを示す。ユーザーの手Ｈ２２は、ユーザーの手Ｈ２１がスワイプ操作の終点位置に到達した状態を示す。この操作に応じて、画面操作生成部５１５は、図９に示す画面操作画像６４０を生成する。なお、手Ｈ２１、Ｈ２２及び矢印ＡＲは、タッチパネル４１に表示されない。
【００５０】
次に、図９を参照して、スワイプに対応する操作画像ＰＪが、右向き矢印の画像（図３に示すスワイプに対応する操作画像ＰＪ）である場合について説明する。画面情報取得部５１３は、コピー条件設定画面６３０がタッチパネル４１に表示されたときに、コピー条件設定画面６３０の画面画像ＳＣに対応する画面画像情報ＳＣＤを取得する。そして、ユーザーの手Ｈ２１の指（例えば、人差し指）によって、コピー条件設定画面６３０の用紙選択ボタン６３１から濃度設定ボタン６３３までスワイプされると、画面操作生成部５１５が以下の処理を行う。
【００５１】
まず、スワイプに対応する操作画像ＰＪ（右向き矢印の画像）を操作画像記憶部５２２から読み出して、操作画像ＰＪを生成する。次に、コピー条件設定画面６３０の画面画像ＳＣにおいてスワイプされた用紙選択ボタン６３１が配置された位置から濃度設定ボタン６３３が配置された位置までの範囲に操作画像６４１を配置して画面操作画像６４０を生成する。換言すれば、画面操作画像６４０は、コピー条件設定画面６３０に対応する画面画像ＳＣと、操作画像６４１とを合成して生成される。なお、操作画像６４１は、コピー条件設定画面６３０の用紙選択ボタン６０１が配置された位置から濃度設定ボタン６３３が配置された位置までの範囲に合成される。また、スワイプに対応する操作画像ＰＪが、中抜きの矢印であるため、矢印の背景にある画面画像ＳＣが見え、画面画像ＳＣの内容を視認できる。
【００５２】
次に、図１０及び図１１を参照して、ボタンＢＴがダブルタップされる場合について説明する。図１０は、画面表示部５１２が表示するコピー条件設定画面６５０を示す画面図である。コピー条件設定画面６５０は、図５に示すコピー条件設定画面６００と同一の画面である。コピー条件設定画面６５０には、用紙選択ボタン６５１、拡大縮小ボタン６５２、濃度設定ボタン６５３、両面分割設定ボタン６５４、ページ集約設定ボタン６５５、ソート設定ボタン６５６、機能一覧ボタン６５７、及び、お気に入りボタン６５８が表示されている。
【００５３】
また、図１０に示すように、ユーザーの手Ｈ３の指（例えば、人差し指）によって、用紙選択ボタン６５１がダブルタップされる。この操作に応じて、画面操作生成部５１５は、図１１に示す画面操作画像６６０を生成する。なお、手Ｈ３は、タッチパネル４１に表示されない。
【００５４】
次に、図１１を参照して、画面操作画像６６０について説明する。図１１は、用紙選択ボタン６５１がダブルタップされた場合に画面操作生成部５１５が生成する画面操作画像６６０の一例を示す画面図である。画面情報取得部５１３は、コピー条件設定画面６５０がタッチパネル４１に表示されたときに、コピー条件設定画面６５０の画面画像ＳＣに対応する画面画像情報ＳＣＤを取得する。そして、ユーザーの手Ｈ３の指（例えば、人差し指）によって、コピー条件設定画面６５０の用紙選択ボタン６５１がダブルタップされると、画面操作生成部５１５が以下の処理を行う。
【００５５】
まず、ダブルタップに対応する操作画像ＰＪを操作画像記憶部５２２から読み出して、操作画像ＰＪを生成する。図１１に示す形態では、ダブルタップに対応する操作画像ＰＪは、２重の楕円状の図形である。次に、コピー条件設定画面６５０の画面画像ＳＣにおいてダブルタップされた用紙選択ボタン６５１が配置された位置に操作画像６６１を配置して画面操作画像６６０を生成する。換言すれば、画面操作画像６６０は、コピー条件設定画面６５０に対応する画面画像ＳＣと、操作画像６６１とを合成して生成される。なお、操作画像６６１は、コピー条件設定画面６５０の用紙選択ボタン６５１が配置された位置に合成される。
【００５６】
図１２を参照して、画面画像ＳＣが、その画面画像ＳＣが表示される直前に表示された画面画像ＳＣに遷移する場合について説明する。図１２は、画面表示部５１２が表示する用紙設定画面６７０を示す画面図である。例えば、コピー条件設定画面６００に表示された用紙選択ボタン６０１がタップされた場合には、用紙設定画面６７０がタッチパネル４１に表示される。用紙設定画面６７０には、Ａ３横選択ボタン６７１、Ａ４横選択ボタン６７２、Ａ４縦選択ボタン６７３、及び、Ａ５横選択ボタン６７４が表示される。また、用紙設定画面６７０には、前画面表示ボタン６７５、及び、後画面表示ボタン６７６が表示される。更に、用紙設定画面６７０には、キャンセルボタン６７８、戻るボタン６７９、ＯＫボタン６８０、及び、選択マーク６８１が表示される。また、用紙設定画面６７０は、複数の（例えば、４つの）用紙設定画面のうちの最初の画面である。
【００５７】
Ａ３横選択ボタン６７１は、Ａ３横の用紙Ｐを選択する場合に、ユーザーによって操作される。Ａ４横選択ボタン６７２は、Ａ４横の用紙Ｐを選択する場合に、ユーザーによって操作される。Ａ４縦選択ボタン６７３は、Ａ４縦の用紙Ｐを選択する場合に、ユーザーによって操作される。Ａ５横選択ボタン６７４は、Ａ５横の用紙Ｐを選択する場合に、ユーザーによって操作される。前画面表示ボタン６７５は、４つの用紙設定画面のうち、前画面を表示する場合に、ユーザーによって操作される。後画面表示ボタン６７６は、４つの用紙設定画面のうち、後画面を表示する場合に、ユーザーによって操作される。
【００５８】
Ａ３横選択ボタン６７１には、選択状態であることを示す選択マーク６８１が表示されている。選択マーク６８１は、選択状態であることを示す。キャンセルボタン６７８は、選択状態をキャンセルする場合に、ユーザーによって操作される。例えば、キャンセルボタン６７８が、ユーザーによってタップされた場合には、選択マーク６８１が消去される。すなわち、「Ａ３横」の用紙Ｐの選択状態が解除される。戻るボタン６７９は、用紙設定画面６７０の前の画面に戻る場合に、ユーザーによって操作される。用紙設定画面６７０の前の画面は、本実施形態では、コピー条件設定画面６００である。換言すれば、戻るボタン６７９は、表示されている画面の階層が１つ上の画面に遷移する場合に、ユーザーによって操作される。ＯＫボタン６８０は、選択状態を決定する場合に、ユーザーによって操作される。本実施形態では、例えば、ＯＫボタン６８０がユーザーによってタップされた場合には、「Ａ３横」の用紙Ｐが選択される。
【００５９】
また、図１２に示すように、ユーザーの手Ｈ４の指（例えば、人差し指）によって、戻るボタン６７９がタップされる。この操作に応じて、画面表示部５１２は、コピー条件設定画面６００をタッチパネル４１に表示する。また、後退検出部５１４は、画面画像ＳＣが、直前に表示された画面画像ＳＣに遷移することを検出する。そして、画面情報取得部５１３は、コピー条件設定画面６００に対応する画面画像情報ＳＣＤを取得しない。また、画面操作生成部５１５は、画面操作画像ＳＰを生成しない。なお、手Ｈ４は、タッチパネル４１に表示されない。
【００６０】
次に、図１３及び図１４を参照して、制御部５の動作について説明する。図１３及び図１４は、制御部５の動作を示すフローチャートである。まず、画面情報取得部５１３がタッチパネル４１に表示された画面画像ＳＣに対応する画面画像情報ＳＣＤを取得する（ステップＳ１０１）。次に、操作受付部５１１がタッチパネル４１に対するユーザーからの操作を受け付けたか否かの判定を行う（ステップＳ１０３）。ユーザーからの操作を受け付けていないと判定した場合（ステップＳ１０３でＮＯ）には、処理が待機状態になる。ユーザーからの操作を受け付けたと判定した場合（ステップＳ１０３でＹＥＳ）には、処理がステップＳ１０５に進む。
【００６１】
そして、操作受付部５１１が、ユーザーによって操作されたボタンＢＴに対応するボタン識別情報ＩＤＢを取得する（ステップＳ１０５）。次に、操作受付部５１１が、ユーザーによる操作の種類を示す操作種類情報ＰＫＤを生成する（ステップＳ１０７）。そして、画面操作生成部５１５が、ボタン識別情報ＩＤＢ及び操作種類情報ＰＫＤに基づいて、操作画像ＰＪを操作画像記憶部５２２から読み出す（ステップＳ１０９）。なお、ボタン識別情報ＩＤＢは、ステップＳ１０５で取得される。また、操作種類情報ＰＫＤは、ステップＳ１０７で生成される。次に、画面操作生成部５１５が、画面画像ＳＣに操作画像ＰＪを配置して画面操作画像ＳＰを生成する（ステップＳ１１１）。なお、画面画像ＳＣは、ステップＳ１０１で取得された画面画像情報ＳＣＤに対応する。また、操作画像ＰＪは、ステップＳ１０９で読み出される。次に、画面記録部５１６が、画面操作画像ＳＰに対応する画面操作画像情報ＳＰＤを、操作画面記憶部５２３に記録する（ステップＳ１１３）。具体的には、画面記録部５１６は、画面識別情報ＩＤＳ、ボタン識別情報ＩＤＢ及び操作種類情報ＰＫＤを含むファイル名で、画面操作画像情報ＳＰＤをファイル形式で操作画面記憶部５２３に記録する。
【００６２】
次に、図１４に示すように、画面表示部５１２が、ステップＳ１０３で受け付けた操作に基づいて、タッチパネル４１に画面画像ＳＣを表示する（ステップＳ１１５）。次に、画面情報取得部５１３がタッチパネル４１に表示された画面画像ＳＣに対応する画面画像情報ＳＣＤを取得する（ステップＳ１１７）。そして、操作受付部５１１がタッチパネル４１に対するユーザーからの操作を受け付けたか否かの判定を行う（ステップＳ１１９）。ユーザーからの操作を受け付けていないと判定した場合（ステップＳ１１９でＮＯ）には、処理が待機状態になる。ユーザーからの操作を受け付けたと判定した場合（ステップＳ１１９でＹＥＳ）には、処理がステップＳ１２１に進む。
【００６３】
そして、操作受付部５１１が、ユーザーによって操作されたボタンＢＴに対応するボタン識別情報ＩＤＢを取得する（ステップＳ１２１）。次に、後退検出部５１４が、直前に表示された画面画像ＳＣに遷移するか否かを判定する（ステップＳ１２３）。直前に表示された画面画像ＳＣに遷移しないと判定された場合（ステップＳ１２３でＮＯ）には、処理がステップＳ１２７に進む。直前に表示された画面画像ＳＣに遷移すると判定された場合（ステップＳ１２３でＹＥＳ）には、処理がステップＳ１２５に進む。そして、画面表示部５１２が、ステップＳ１１９で受け付けた操作に基づいて、タッチパネル４１に画面画像ＳＣを表示し（ステップＳ１２５）、処理がステップＳ１１９に戻る。
【００６４】
ステップＳ１２３でＮＯの場合には、操作受付部５１１が、ユーザーによる操作の種類を示す操作種類情報ＰＫＤを生成する（ステップＳ１２７）。そして、画面操作生成部５１５が、ボタン識別情報ＩＤＢ及び操作種類情報ＰＫＤに基づいて、操作画像ＰＪを操作画像記憶部５２２から読み出す（ステップＳ１２９）。なお、ボタン識別情報ＩＤＢは、ステップＳ１２１で取得される。また、操作種類情報ＰＫＤは、ステップＳ１２７で生成される。次に、画面操作生成部５１５が、画面画像ＳＣに操作画像ＰＪを配置して画面操作画像ＳＰを生成する（ステップＳ１３１）。なお、画面画像ＳＣは、ステップＳ１１７で取得された画面画像情報ＳＣＤに対応する。また、操作画像ＰＪは、ステップＳ１２９で読み出される。次に、画面記録部５１６が、画面操作画像ＳＰに対応する画面操作画像情報ＳＰＤを、操作画面記憶部５２３に記録する（ステップＳ１３３）。具体的には、画面記録部５１６は、画面識別情報ＩＤＳ、ボタン識別情報ＩＤＢ及び操作種類情報ＰＫＤを含むファイル名で、画面操作画像情報ＳＰＤをファイル形式で操作画面記憶部５２３に記録する。
【００６５】
そして、画面表示部５１２が、ステップＳ１１９で受け付けた操作に基づいて、タッチパネル４１に画面画像ＳＣを表示する（ステップＳ１３５）。次に、制御部５が、処理を終了するか否かの判定を行う（ステップＳ１３７）。処理を終了すると判定された場合（ステップＳ１３７でＹＥＳ）には、処理が終了する。処理を終了しないと判定された場合（ステップＳ１３７でＮＯ）には、処理がステップＳ１１７に戻る。
【００６６】
なお、図１３及び図１４に示すフローチャートにおいて、ステップＳ１０１、及び、ステップＳ１１７が「画面情報取得工程」に相当する。また、ステップＳ１１１、及び、ステップＳ１３１が、「画面操作生成工程」に相当する。更に、ステップＳ１１３、及び、ステップＳ１３３が、「画面記録工程」に相当する。
【００６７】
図２〜図１４を参照して説明したように、タッチパネル４１に表示される画面画像ＳＣが変化する度に、画面情報取得部５１３がタッチパネル４１に表示された画面画像ＳＣを示す画面画像情報ＳＣＤを取得する。また、画面操作生成部５１５が、ユーザーからの操作の内容を示す操作画像ＰＪを、画面画像ＳＣに付与して画面操作画像ＳＰを生成する。そして、画面記録部５１６が、画面操作画像ＳＰに対応する画面操作画像情報ＳＰＤを、操作画面記憶部５２３に記録する。よって、画面操作画像ＳＰに対応する画面操作画像情報ＳＰＤが操作画面記憶部５２３に記録される。画面操作画像ＳＰは、ユーザーからの操作の内容を示す操作画像ＰＪを画面画像ＳＣに付加した画像である。したがって、画面操作画像ＳＰを読み出して表示することによって、画面操作画像ＳＰに含まれる画面画像ＳＣに対して行われたユーザーの操作の内容を確認することができる。その結果、操作手順書のような文書を容易に作成することができる。
【００６８】
また、操作受付部５１１が、ユーザーからの操作を受け付ける度に、ユーザーからの操作の内容を示す操作情報ＰＤを生成する。そして、画面操作生成部５１５は、操作情報ＰＤに対応する操作画像ＰＪを生成する。よって、ユーザーからの操作の内容を示す操作画像ＰＪを容易に生成することができる。
【００６９】
更に、タッチパネル４１には、ユーザーによって操作されるボタンＢＴが表示される。操作受付部５１１が、操作情報ＰＤとして、ユーザーによって操作されたボタンＢＴを示すボタン識別情報ＩＤＢとタッチパネル４１に対する操作の種類を示す操作種類情報ＰＫＤとを生成する。また、画面操作生成部５１５が、ボタン識別情報ＩＤＢ及び操作種類情報ＰＫＤに基づいて、操作画像ＰＪを生成する。よって、的確な操作画像ＰＪを容易に生成することができる。
【００７０】
また、画面操作生成部５１５は、操作種類情報ＰＫＤに対応する操作画像ＰＪを操作画像記憶部５２２から読み出して、画面画像ＳＣにおいてボタン識別情報ＩＤＢに対応するボタンＢＴが配置された位置に、操作画像ＰＪを配置して、画面操作画像ＳＰを生成する。よって、操作画像ＰＪの配置された位置によってユーザーが操作したボタンＢＴを把握することができる。また、操作画像ＰＪによって、ユーザーが行った操作の種類を把握することができる。したがって、操作手順書のような文書を更に容易に作成することができる。
【００７１】
更に、画面記録部５１６は、画面操作画像ＳＰに対応する画面操作画像情報ＳＰＤを、画面識別情報ＩＤＳ、ボタン識別情報ＩＤＢ及び操作種類情報ＰＫＤと対応付けて、操作画面記憶部５２３に記録する。具体的には、例えば、画面記録部５１６は、画面操作画像情報ＳＰＤを、画面識別情報ＩＤＳ、ボタン識別情報ＩＤＢ及び操作種類情報ＰＫＤを含むファイル名で、操作画面記憶部５２３に記録する。よって、ユーザーは、ファイル名によって、画面操作画像ＳＰがどのような画像であるかを把握することができる。したがって、操作手順書のような文書を更に容易に作成することができる。
【００７２】
また、後退検出部５１４が、直前に表示された画面に遷移したことを検出したときに、画面情報取得部５１３は、画面画像情報ＳＣＤを取得しない。よって、同一の画面画像ＳＣの画面画像情報ＳＣＤを重複して取得することを抑制することができる。
【００７３】
以上、図面を参照しながら本発明の実施形態について説明した。ただし、本発明は、上記の実施形態に限られるものではなく、その要旨を逸脱しない範囲で種々の態様において実施することが可能である（例えば、下記に示す（１）〜（６））。図面は、理解しやすくするために、それぞれの構成要素を主体に模式的に示しており、図示された各構成要素の厚み、長さ、個数等は、図面作成の都合上から実際とは異なる。また、上記の実施形態で示す各構成要素の形状、寸法等は一例であって、特に限定されるものではなく、本発明の構成から実質的に逸脱しない範囲で種々の変更が可能である。
【００７４】
（１）図１を参照して説明したように、画面取得装置が画像形成装置１００である形態について説明したが、これに限定されない。例えば、画面取得装置がモニターを備える電子機器であればよい。具体的には、ＬＣＤ（Ｌｉｑｕｉｄ  Ｃｒｙｓｔａｌ  Ｄｉｓｐｌａｙ）を備えるＤＶＤ（Ｄｉｇｉｔａｌ  Ｖｅｒｓａｔｉｌｅ  Ｄｉｓｃ）プレイヤー、又は、タブレットＰＣのような電子機器でもよい。
【００７５】
（２）図２を参照して説明したように、操作受付部５１１がタッチパネル４１に表示されたボタンＢＴを介してユーザーからの操作を受け付ける形態について説明したが、これに限定されない。例えば、操作受付部５１１が操作パネル４に配置されたハードウェアキーを介してユーザーからの操作を受け付けてもよい。
【００７６】
（３）図２を参照して説明したように、画面情報取得部５１３が、タッチパネル４１に表示された画面画像ＳＣに対応する画面画像情報ＳＣＤを取得する形態について説明したが、これに限定されない。例えば、画面情報取得部５１３が、タッチパネル４１に表示された画面画像ＳＣに対応する画面画像情報ＳＣＤを表示画面記憶部５２１から読み出してもよい。
【００７７】
（４）図２を参照して説明したように、画面操作生成部５１５が、ボタンＢＴが配置された位置に操作画像ＰＪを配置して画面操作画像ＳＰを生成する形態について説明したが、これに限定されない。例えば、画面操作生成部５１５が、ユーザーがタッチパネル４１を操作した位置に、操作画像ＰＪを配置して画面操作画像ＳＰを生成してもよい。例えば、ユーザーがタッチパネル４１に表示されたボタンＢＴをタップする場合には、以下のように画面操作画像ＳＰを生成する。すなわち、画面操作生成部５１５は、ユーザーがタッチパネル４１をタップした位置に、操作画像ＰＪを配置して画面操作画像ＳＰを生成する。
【００７８】
（５）図２を参照して説明したように、画面記録部５１６が、画面操作画像情報ＳＰＤをファイル形式で操作画面記憶部５２３に記録する形態について説明したが、これに限定されない。例えば、画面記録部５１６が、画面操作画像情報ＳＰＤを表形式で操作画面記憶部５２３に記録してもよい。具体的には、例えば、画面記録部５１６が、画面識別情報ＩＤＳ、ボタン識別情報ＩＤＢ及び操作種類情報ＰＫＤと対応付けて、画面操作画像情報ＳＰＤを表形式で操作画面記憶部５２３に記録する。
【００７９】
（６）図２を参照して説明したように、画面記録部５１６が、画面識別情報ＩＤＳ、ボタン識別情報ＩＤＢ及び操作種類情報ＰＫＤを含むファイル名で、画面操作画像情報ＳＰＤを操作画面記憶部５２３に記録する形態について説明したが、これに限定されない。画面記録部５１６が、画面識別情報ＩＤＳ、ボタン識別情報ＩＤＢ及び操作種類情報ＰＫＤの少なくとも１つを含むファイル名で、画面操作画像情報ＳＰＤを操作画面記憶部５２３に記録してもよい。
【産業上の利用可能性】
【００８０】
本発明は、モニターに表示された画面画像に対応する画面画像情報を取得する画面取得装置、画面取得方法、及び、画面取得プログラムの分野に利用可能である。
【符号の説明】
【００８１】
１００    画像形成装置（画像取得装置）
１    画像形成ユニット
２    画像読取ユニット
３    原稿搬送ユニット
４    操作パネル
４１    タッチパネル（モニター）
５    制御部（コンピューター）
５１１    操作受付部
５１２    画面表示部
５１３    画面情報取得部
５１４    後退検出部
５１５    画面操作生成部
５１６    画面記録部
５２１    表示画面記憶部
５２２    操作画像記憶部
５２３    操作画面記憶部
２００    パーソナルコンピューター
【図１】
0006337847.tif 000002
【図２】
0006337847.tif 000003
【図３】
0006337847.tif 000004
【図４】
0006337847.tif 000005
【図５】
0006337847.tif 000006
【図６】
0006337847.tif 000007
【図７】
0006337847.tif 000008
【図８】
0006337847.tif 000009
【図９】
0006337847.tif 000010
【図１０】
0006337847.tif 000011
【図１１】
0006337847.tif 000012
【図１２】
0006337847.tif 000013
【図１３】
0006337847.tif 000014
【図１４】
0006337847.tif 000015